(57)【要約】【目的】携帯電話において動画を見やすくする。【構成】高画質の動画を見る場合には，（Ａ）に示すように携帯電話横向きに持った場合に横向きとなった携帯電話の表示画面に内接するように動画が表示される。携帯電話を縦向きに持った場合には，（Ｂ）に示すように縦向きとなった携帯電話の表示画面41に内接するような動画43が表示される。携帯電話を持ちやすい状態で動画43を閲覧できる。【選択図】図７
2008136057.tif 000002
【特許請求の範囲】
【請求項１】
与えられる動画ファイルから，携帯電話に設けられている縦長の表示画面を横向きにした場合に表示される横向き画像の大きさおよびアスペクト比に対応した横向き用動画を表わす横向き用動画ファイルを生成する横向き用動画ファイル生成手段，
上記与えられる動画ファイルから，上記携帯電話に設けられている縦長の表示画面を縦向きにした場合に表示される縦向き画像であって，上記表示画面を横向きにした場合の上記表示画面の縦方向の長さが横方向の長さとなり，かつ上記横向き画像のアスペクト比と同じアスペクト比をもつ縦向き画像から構成される縦向き用動画を表わす縦向き用動画ファイルを生成する縦向き用動画ファイル生成手段，
複数種類の携帯電話について，上記横向き用動画ファイル生成処理および上記縦向き用動画ファイル生成処理を行うように，上記横向き用動画ファイル生成手段および上記縦向き用動画ファイル生成手段を制御する制御手段，ならびに
上記制御手段の制御のもとに生成された横向き用動画ファイルおよび縦向き用動画ファイルを，携帯電話の種類に対応して動画ファイル記憶装置に記憶する記憶制御手段，
を備えた動画ファイル生成装置。
【請求項２】
携帯電話から送信される動画ファイル・リクエストを受信する受信手段，
上記受信手段によって受信した動画ファイル・リクエストを送信した携帯電話を識別する識別手段，および
上記識別手段によって識別された携帯電話に対応する横向き動画ファイルまたは縦向き動画ファイルを，上記動画ファイル記憶装置から読み出して，上記動画ファイル・リクエストを送信した携帯電話に送信する動画ファイル送信手段，
を備えた請求項１に記載の動画ファイル生成装置。
【請求項３】
横向き用動画ファイル生成手段が，与えられる動画ファイルから，携帯電話に設けられている縦長の表示画面を横向きにした場合に表示される横向き画像の大きさおよびアスペクト比に対応した横向き用動画を表わす横向き用動画ファイルを生成し，
縦向き用動画ファイル生成手段が，上記与えられる動画ファイルから，上記携帯電話に設けられている縦長の表示画面を縦向きにした場合に表示される縦向き画像であって，上記表示画面を横向きにした場合の上記表示画面の縦方向の長さが横方向の長さとなり，かつ上記横向き画像のアスペクト比と同じアスペクト比をもつ縦向き画像から構成される縦向き用動画を表わす縦向き用動画ファイルを生成し，
制御手段が，複数種類の携帯電話について，上記横向き用動画ファイル生成処理および上記縦向き用動画ファイル生成処理を行うように，上記横向き用動画ファイル生成手段および上記縦向き用動画ファイル生成手段を制御し，
記憶制御手段が，上記制御手段の制御のもとに生成された横向き用動画ファイルおよび縦向き用動画ファイルを，携帯電話の種類に対応して動画ファイル記憶装置に記憶する，
動画ファイル生成装置の制御方法。
【発明の詳細な説明】
【技術分野】
【０００１】
この発明は，動画ファイル生成装置およびその制御方法に関する。
【発明の開示】
【０００２】
サーバから携帯電話などのユーザ端末に動画を配信することが考えられている。携帯電話は機種によって能力が異なることから，動画を配信するユーザ端末の能力に応じて動画ファイルの圧縮率を変えるものがある（特許文献１）。
【特許文献１】特開2006-121614号公報
【０００３】
また，受信装置に動画像データを配信するときに高精細な画像であっても画質低下を起こさないようにするものもある（特許文献２）。
【特許文献２】特開2005-176068号公報
【０００４】
携帯電話においては，画像の大きい動画を表示する場合には携帯電話を横向きにして動画が表示される。しかしながら，携帯電話を横向きにしなければならないので動画が見づらいことがある。
【０００５】
この発明は，動画を見やすくすることを目的とする。
【０００６】
この発明による動画ファイル生成装置は，与えられる動画ファイルから，携帯電話に設けられている縦長の表示画面を横向きにした場合に表示される横向き画像の大きさおよびアスペクト比に対応した横向き用動画を表わす横向き用動画ファイルを生成する横向き用動画ファイル生成手段，上記与えられる動画ファイルから，上記携帯電話に設けられている縦長の表示画面を縦向きにした場合に表示される縦向き画像であって，上記表示画面を横向きにした場合の上記表示画面の縦方向の長さが横方向の長さとなり，かつ上記横向き画像のアスペクト比と同じアスペクト比をもつ縦向き画像から構成される縦向き用動画を表わす縦向き用動画ファイルを生成する縦向き用動画ファイル生成手段，複数種類の携帯電話について，上記横向き用動画ファイル生成処理および上記縦向き用動画ファイル生成処理を行うように，上記横向き用動画ファイル生成手段および上記縦向き用動画ファイル生成手段を制御する制御手段，ならびに上記制御手段の制御のもとに生成された横向き用動画ファイルおよび縦向き用動画ファイルを，携帯電話の種類に対応して動画ファイル記憶装置に記憶する記憶制御手段を備えていることを特徴とする。
【０００７】
この発明は，上記動画ファイル生成装置に適した制御方法も提供している。すなわち，この方法は，横向き用動画ファイル生成手段が，与えられる動画ファイルから，携帯電話に設けられている縦長の表示画面を横向きにした場合に表示される横向き画像の大きさおよびアスペクト比に対応した横向き用動画を表わす横向き用動画ファイルを生成し，縦向き用動画ファイル生成手段が，上記与えられる動画ファイルから，上記携帯電話に設けられている縦長の表示画面を縦向きにした場合に表示される縦向き画像であって，上記表示画面を横向きにした場合の上記表示画面の縦方向の長さが横方向の長さとなり，かつ上記横向き画像のアスペクト比と同じアスペクト比をもつ縦向き画像から構成される縦向き用動画を表わす縦向き用動画ファイルを生成し，制御手段が，複数種類の携帯電話について，上記横向き用動画ファイル生成処理および上記縦向き用動画ファイル生成処理を行うように，上記横向き用動画ファイル生成手段および上記縦向き用動画ファイル生成手段を制御し，記憶制御手段が，上記制御手段の制御のもとに生成された横向き用動画ファイルおよび縦向き用動画ファイルを，携帯電話の種類に対応して動画ファイル記憶装置に記憶するものである。
【０００８】
この発明によると，与えられる動画ファイルから，携帯電話に設けられている縦長の表示画面を横向きにした場合に表示される横向き画像の大きさおよびアスペクト比に対応した横向き動画を表わす横向き動画ファイルと，その縦長の表示画面を縦向きにした場合に表示される縦向き画像であって，表示画面を横向きにした場合の表示画面の縦方向の長さが横方向の長さとなり，かつ横向き画像のアスペクト比と同じアスペクト比をもつ縦向き画像の縦向き用動画を表わす縦向き用動画ファイルとが複数の携帯電話について生成される。生成された横向き用動画ファイルおよび縦向き用動画ファイルとは携帯電話の種類に対応して記憶される。携帯電話の種類に対応して横向き用動画ファイルおよび縦向き用動画ファイルが生成されるので，必要に応じて横向き用動画ファイルまたは縦向き用動画ファイルを，携帯電話に送信できる。携帯電話において，画質の高い横向き用動画を見ることもできるし，見やすい縦向き用動画を見ることもできる。
【０００９】
携帯電話から送信される動画ファイル・リクエストを受信する受信手段，上記受信手段によって受信した動画ファイル・リクエストを送信した携帯電話を識別する識別手段，および上記識別手段によって識別された携帯電話に対応する横向き動画ファイルまたは縦向き動画ファイルを，上記動画ファイル記憶装置から読み出して，上記動画ファイル・リクエストを送信した携帯電話に送信する動画ファイル送信手段を備えてもよい。
【実施例】
【００１０】
図１は，この発明の実施例を示すもので，動画通信システムの概要を示している。
【００１１】
動画通信システムには，インターネットなどのようなネットワークを介して互いに通信可能なｎ個の携帯電話１〜ｎ，コンテンツ・サーバ10および動画サーバ20が含まれている。
【００１２】
コンテンツ・サーバ10には，動画を表わす動画ファイルが格納されている。この動画ファイルがコンテンツ・サーバ10から動画サーバ20に与えられて，動画サーバ20から携帯電話１〜ｎに送信される。携帯電話１〜ｎに設けられている表示画面は，一般的には縦長である。このために，高画質の動画を表示する場合には，横向きに表示される動画を表わす動画ファイルが携帯電話１〜ｎに送信される。携帯電話１〜ｎの表示画面には横向きの動画が表示されるので，携帯電話１〜ｎのユーザは，携帯電話１〜ｎを横向きにして表示画面に表示される動画を見ることとなる。しかしながら，携帯電話１〜ｎを横向きにしなければならないので，携帯電話１〜ｎを持ちながら動画を見る場合には見づらいことがある。この実施例においては，縦向きの動画を表わす動画ファイルを携帯電話１〜ｎに送信できるようにするものである。
【００１３】
図１においては，動画ファイルの送信対象として携帯電話１〜ｎが図示されているが，携帯電話に限らず，PDA（Personal Digital Assistants）のような携帯型情報端末に動画ファイルを送信するようにしてもよい。
【００１４】
図２は，動画サーバ20の電気的構成を示すブロック図である。
【００１５】
動画サーバ20には，コンテンツ・サーバ10から，コンテンツ・サーバ10に格納されている原動画ファイル，変換パラメータおよび送信パラメータが与えられる。動画サーバ20に与えられた原動画ファイル，変換パラメータおよび送信パラメータは，変換情報管理回路21に入力し，一時的に記憶される。変換情報管理回路21に記憶された原動画ファイル，変換パラメータおよび送信パラメータは，動画変換回路22に与えられる。
【００１６】
図３は，変換パラメータの一例であり，図４は，送信パラメータの一例である。
【００１７】
図３を参照して，変換パラメータは，原動画ファイルを携帯電話１〜ｎに送信する場合の変換ロジックを決定するものである。変換パラメータの項目には，優先設定，ステレオ設定および表示設定の処理がある。
【００１８】
優先設定は，携帯電話１〜ｎに動画ファイルを送信する場合に動画ファイルによって表わされる動画をどのような質のものにするかを設定するものである。優先設定には，標準画質，画質優先，動き優先および音声優先のそれぞれの設定がある。画質優先は，動画のフレーム・レートを少なくし，映像ビット・レートを多くするように設定するものである。動き優先は，映像ビット・レートを多くし，音声ビット・レートを少なくするように設定するものである。音声優先は，映像ビット・レートを少なくし，音声ビット・レートを多くするように設定するものである。
【００１９】
ステレオ設定は，自動ステレオ音声出力または強制的にモノラル音声出力とするかを設定するものである。表示設定は，動画の縦表示または横表示を設定するものである。縦表示は，携帯電話１〜ｎを縦向きにして見る場合に適した表示である。横表示は，携帯電話１〜ｎを横向きにして見る場合に適した表示である。
【００２０】
図４を参照して，送信パラメータは，動画ファイルを送信する携帯電話が契約している携帯電話会社（送信先キャリア）および送信方法（動画ファイルのストリーミングに限られるか，動画ファイルのダウンロードを許可するか）を設定するものである。
【００２１】
図２に戻って，動画サーバ20には端末情報管理回路23も含まれている。この端末情報管理回路23には，送信対象となる携帯電話１〜ｎについての端末情報が格納されている。端末情報管理回路23において格納されている端末情報は，動画変換回路22に与えられる。
【００２２】
図５は，端末情報の一例である。
【００２３】
端末情報には，携帯電話の動画ファイル・フォーマット，携帯電話に設けられている表示画面に表示できる画像の解像度（画像の規格），上限の映像ビット・レート，下限の映像ビット・レート，フレーム・レート，音声コーデックの種類，上限の音声ビット・レート，下限の音声ビット・レート，サンプリング周波数，表示サイズ，240画素×180画素の表示の向きなどがある。
【００２４】
これらの端末情報のうち，主要なものについて述べる。映像ビット・レートは，画像データの１秒当たりのデータ量を表わすものである。携帯電話においては，映像ビット・レートの上限と下限とが決まっているために，端末情報に上限映像ビット・レートおよび下限映像ビット・レートが規定されている。フレーム・レートは，動画を構成する画像の１秒当たりの駒数である。音声ビット・レートは，音声データの１秒当たりのデータ量を表わすものである。音声ビット・レートについても，携帯電話において上限と下限とが決まっているために上限音声ビット・レートと下限音声ビット・レートとが端末情報に規定されている。
【００２５】
表示サイズは，携帯電話に設けられている表示画面のサイズである。96×80は，横96画素，縦80画素を示す。Sub-QCIF(Quarter Common Intermediate Format)は，128画素×96画素である。QCIFは，176×144画素である。QVGA(Quarter Video Graphics Array)は，320画素×240画素である。図５に示されている例では，携帯電話１の表示サイズは，96×80の一つであり，携帯電話２の表示サイズは，Sub-QCIFの一つであり，携帯電話３から携帯電話５の表示サイズは，QCIFであるが，携帯電話６および７は，240画素×180画素とQVGAの二つである。携帯電話１〜５は，対応するいずれかの大きさの動画のみを表示することができるが，携帯電話６および７は，240画素×180画素の大きさをもつ動画またはQVGAの大きさをもつ動画を表示できることを示している。携帯電話６または７のように，240画素×180画素の大きさをもつ動画またはQVGAの大きさをもつ動画をいずれも表示できる携帯電話の場合，QVGAの大きさをもつ動画は，携帯電話を横向きにしなければ表示できないが，240画素×180画素の大きさをもつ動画は，携帯電話を縦向きにしても横向きにしても表示することができる。240画素×180画素の表示の向きは，携帯電話において240画素×180画素の大きさをもつ動画を表わす動画ファイルが与えられた場合に，表示される向きを示すものである。この表示の向きが縦向きの場合には，240画素×180画素の大きさをもつ動画ファイルが与えられると，携帯電話を縦向きにした場合に動画が見やすいように90度の回転処理が行われる。これに対して，この表示の向きが横向きの場合には，240画素×180画素の大きさの動画ファイルが与えられると，QVGAの大きさの動画が与えられる場合と同様に，動画の回転処理は行われない。携帯電話を横向きにする必要がある。このために，この実施例では，表示の向きが横向きの携帯電話については，動画サーバ20において90度の回転処理が行われたものが送信される。回転処理が行われない携帯電話であっても縦向きの状態で240画素×180画素の動画を見ることができる。
【００２６】
再び図２にもどって，動画変換回路22において，変換情報管理回路21から与えられた原動画ファイル，変換パラメータおよび送信パラメータならびに端末情報管理回路23から与えられた端末情報にもとづいて，携帯電話１〜ｎのそれぞれの表示サイズに対応した動画ファイルを生成するように動画変換処理が行われる。この動画変換処理について詳しくは後述する。
【００２７】
動画変換回路22において携帯電話１〜ｎのそれぞれに対応した動画ファイルは，変換動画管理回路24に与えられて，格納される。
【００２８】
動画サーバ20に携帯電話１〜ｎのうちいずれかの携帯電話からアクセスされると，アクセスした携帯電話を識別するための端末情報が動画サーバ20の機種判別回路25に入力する。機種判別回路25において，動画サーバ20にアクセスした携帯電話の機種が判別され，判別された機種を表わすデータが動画送信回路26に入力する。アクセスした携帯電話に対応した動画ファイルが変換動画管理回路24から読み取られて動画送信回路26に入力する。アクセスした携帯電話に対応した動画ファイルが動画送信回路26によって，そのアクセスした携帯電話に送信される。
【００２９】
図６（Ａ）および（Ｂ）は，携帯電話の外観を示している。
【００３０】
図６（Ａ）は携帯電話40において横表示により動画を表示している様子を示し，図６（Ｂ）は携帯電話40において縦表示により動画を表示している様子を示している。
【００３１】
図６（Ａ）および（Ｂ）を参照して，携帯電話40は上半体41と下半体46とが折り曲げ自在に構成されている。上半体41の上部にはアンテナ42が形成されている。また，上半体41の正面にはほぼ前面に表示画面41Ａが設けられている。下半体46には，テン・キーパッドなどの操作部47が形成されている。
【００３２】
横表示により動画が表示される場合には，携帯電話40のユーザは，図６（Ａ）に示すように，横向きとなるように携帯電話40をもつ。携帯電話40が横方向となっている状態で表示画面41に動画43が表示される。
【００３３】
縦表示により動画が表示される場合には，携帯電話40のユーザは，図６（Ｂ）に示すうように，縦向きとなるように携帯電話40をもつ。携帯電話40が縦方向となっている状態で表示画面41に動画43が表示される。動画43の上下には動画43が表示されていないことを示すようにハッチング45および46が示されている。
【００３４】
図７（Ａ）は，横表示において表示画面41に表示されている動画43を示している。
【００３５】
携帯電話40が横向きに持たれている場合には表示画面41の幅はｗ１，高さはｈ１で表される。アスペクト比（横対縦）は，ｗ１：ｈ１である。表示画面がQVGAの表示サイズをもつものであれば，幅ｗ１＝320画素，高さｈ１＝240画素である。幅320画素，高さ240画素の画像から構成される動画（横向き用動画）が与えられると，図７（Ａ）に示すように携帯電話を横向きにすることにより，その動画を表示できる。
【００３６】
図７（Ｂ）は，縦表示において動画が表示される場合の動画と表示画面41との関係を示している。
【００３７】
携帯電話40が縦向きにされると，表示画面41Ａの幅はｈ１，高さはｗ１となる（横向きにおける縦方向の長さｈ１が縦向きにおける横方向の長さｈ１となる）。このような状態において，表示画面41Ａに縦向きの動画43が表示画面41内に収まるように表示すると，図７（Ｂ）に示すように，動画43の幅は携帯電話40が縦向きにされたときの幅ｈ１と一致することとなる（すなわち，240画素）。動画43のアスペクト比はQVGAでのアスペクト比と同じである。したがって，動画43の高さｈ２は180画素となる。240画素×180画素の動画であれば，図７（Ｂ）に示すように携帯電話40を縦向きにした場合に，表示画面41に丁度収まることとなる。
【００３８】
表示画面41において動画43が表示されている領域の上の領域45および46（いずれもハッチングで示されている）には上述のように動画43は表示されない。
【００３９】
図８は，動画サーバ20の処理手順を示すフローチャートである。
【００４０】
上述のように，コンテンツ・サーバ10から与えられた原動画ファイル，変換パラメータおよび送信パラメータは，変換情報管理回路21を介して動画変換回路22に入力する（ステップ31）。入力した変換パラメータにもとづいて変換ロジックが決定される（ステップ32）。すなわち，優先設定の項目にもとづいて，どのような質の動画ファイルに変換するのか，ステレオ設定をどうするか，表示設定を縦表示にするのか横表示にするのかなどが決定される。
【００４１】
表示設定が縦表示でなければ（ステップ33でＮＯ），送信用の動画ファイルを生成しようとする携帯電話において表示可能なサイズの動画ファイルが生成される（ステップ36）。
【００４２】
表示設定が縦表示であれば（ステップ33でＹＥＳ），送信用の動画ファイルを生成しようとする携帯電話における240画素×180画素の表示の向きが，縦向きかどうかが確認される（ステップ34）。240画素×180画素の動画を表示できない携帯電話については，240画素×180画素の表示の向きについての情報は端末情報に含まれていないので，この表示の向きは縦向きでは無いと判定される。
【００４３】
縦向きであれば（ステップ34でＹＥＳ），上述したように，240画素×180画素の縦表示用動画ファイルが生成される（ステップ35）。縦向きでなければ（ステップ34でＮＯ），240画素×180画素の横表示用動画ファイルが生成される（ステップ37）。縦表示用の動画ファイルが携帯電話に与えられると，回転処理することなく，携帯電話を縦向きに持った状態で見やすい動画が表示される。横表示用の動画ファイルが携帯電話に与えられると，回転処理が行われなければ携帯電話を横向きに持たなければ動画が見づらくなるので，携帯電話において，携帯電話を縦向きに持った状態で見やすくなるように動画ファイルに対して90度回転処理される。もっとも表示設定にかかわらず，縦表示用の動画ファイルと横表示用の動画ファイルとの２種類を生成するようにしてもよい。
【００４４】
生成処理された動画ファイルが携帯電話に対応して変換動画管理回路24に格納される（ステップ41）。すべての携帯電話１〜ｎについてステップ32から38の処理が繰り返される（ステップ42）。
【００４５】
図９および図10は，動画通信システムの処理手順を示すフローチャートである。
【００４６】
動画サーバ20の変換動画管理回路24には，上述したように送信対象の携帯電話１〜ｎのすべてに対応した動画ファイルが格納されているものとする。
【００４７】
動画サーバ20からコンテンツ・サーバ10に動画送信用リンク・データが送信される（ステップ81）。動画サーバ20から送信された動画送信用リンク・データがコンテンツ・サーバ10において受信される（ステップ71）。すると，コンテンツ・サーバ10のHTML(Hyper Text Markup Language)ページに記述される。
【００４８】
携帯電話によってコンテンツ・サーバ10のHTMLページにアクセスすると（ステップ51），コンテンツ・サーバ10から携帯電話に動画送信用リンク・データが送信されることとなる（ステップ72）。
【００４９】
携帯電話の表示画面にはHTMLページが表示され，そのHTMLページに動画送信用リンクが埋めこめられていることとなる。携帯電話によってリンクがクリックされ，動画送信用リンクにアクセスされると（ステップ52でＹＥＳ），携帯電話からそのリンク先の動画サーバ20にhttpリクエスト・ファイルが送信される。このhttp(Hyper Text Transfer Protocol)リクエスト・ファイルのヘッダには携帯電話の機種等を特定するUser-Agentが含まれている。これにより機種情報が携帯電話から動画サーバ20に送信されることとなる（ステップ53）。動画サーバ20において携帯電話の機種情報等が受信されると（ステップ82），携帯電話会社および機種に応じた動画表示用HTMLファイルが生成されて携帯電話に送信される（ステップ83）。
【００５０】
図11（Ａ）および（Ｂ）は，生成されたHTMLファイルに記述されるスクリプトの一例である。図11（Ａ）は，Ａ社の携帯電話会社であって，３gpp（Generation Partnership Project）２形式の携帯電話において動画をダウンロード再生する場合のものである。図11（Ｂ）は，Ｂ者の携帯電話会社の携帯電話において動画をダウンロード再生する場合のものである。いずれにしても携帯電話会社および機種に応じた動画表示用HTMLファイルが生成されて携帯電話に送信されることとなる。
【００５１】
図９を参照して，動画サーバ20から送信されたHTMLファイルが携帯電話において受信され，動画表示用HTMLページが携帯電話の表示画面に表示される（ステップ54）。携帯電話の表示画面に表示されている動画表示用HTMLページにはダウンロード・リンクが埋めこめられており，そのダウンロード・リンクが携帯電話のユーザによってクリックされると（ステップ55でＹＥＳ）,携帯電話の機種情報，動画リクエストなどが携帯電話から動画サーバ20に送信される（ステップ56）。
【００５２】
携帯電話から送信された機種情報，動画リクエストなどが動画サーバ20において受信されると，その機種に応じた動画ファイルが変換動画管理回路24から読み取られて携帯電話に送信される（ステップ85）。
【００５３】
動画サーバ20から送信された動画ファイルが携帯電話において受信されると（ステップ58），その受信した動画ファイルによって表される動画が240画素×180画素のものかどうが確認される（ステップ59）。240画素×180画素のものであれば（ステップ59でＹＥＳ），上述のように90度の回転処理が行われている動画かどうかが確認される（ステップ60）。90度の回転処理が行われている場合には，動画ファイルのヘッダにその旨の情報が記録されていることとなろうから，その情報から90度の回転処理が行われているかどうかが確認される。90度の回転処理が行われていなければ（ステップ60でＮＯ），上述のように携帯電話を縦向きに持った場合に見やすくなるように90度の回転処理が行われる（ステップ61）。この90度の回転処理は，表示画面の表示位置を90度回転させることにより実現できる。90度の回転処理が行われている場合には（ステップ60でＹＥＳ），ステップ61の処理はスキップされる。また，受信した動画ファイルが240画素×180画素のものでなければ（ステップ59でＮＯ），ステップ60および61の処理はスキップされる。
【００５４】
その後，受信した動画ファイルによって表される動画が携帯電話の表示画面に表示されることとなる（ステップ62）。縦表示の動画であれば，携帯電話を縦にした状態で見やすいものとなる。
【図面の簡単な説明】
【００５５】
【図１】動画通信システムの概要を示している。
【図２】動画サーバの電気的構成を示すブロック図である。
【図３】変換パラメータの一例である。
【図４】送信パラメータの一例である。
【図５】端末情報の一例である。
【図６】（Ａ）および（Ｂ）は，携帯電話の正面図である。
【図７】（Ａ）および（Ｂ）は，表示画面に表示される動画一例である。
【図８】動画サーバの処理手順を示すフローチャートである。
【図９】動画通信システムの処理手順を示すフローチャートである。
【図１０】動画通信システムの処理手順を示すフローチャートである。
【図１１】（Ａ）および（Ｂ）は，HTMLスクリプトの一例である。
【符号の説明】
【００５６】
20  動画サーバ
22  動画変換回路
23  端末情報管理回路
24  変換動画管理回路
25  機種判別回路
26  動画送信回路
【図１】
2008136057.tif 000003
【図２】
2008136057.tif 000004
【図３】
2008136057.tif 000005
【図４】
2008136057.tif 000006
【図５】
2008136057.tif 000007
【図６】
2008136057.tif 000008
【図７】
2008136057.tif 000009
【図８】
2008136057.tif 000010
【図９】
2008136057.tif 000011
【図１０】
2008136057.tif 000012
【図１１】
2008136057.tif 000013